(57)【特許請求の範囲】
【請求項１】
ローダ・アームの端部に工具を固定するための迅速締結安全装置において、
前記ローダ・アームに連結されるとともに、クレードルと、第１の開口とを有する第１の部品と、
前記工具に連結されるとともに、フック形状の部材と、前記クレードルに嵌合される軸とを有する第２の部品と、
第２の開口を有し、前記フック形状の部材が前記第１の開口および前記第２の開口に挿入された後、前記フック形状の部材に係合する可動のロックプレートと、
前記ロックプレートに連結されたバネとを備え、
前記フック形状の部材は、少なくとも１つの側方フィンガーを有し、前記第１の開口および前記第２の開口は、ともに前記少なくとも１つの側方フィンガーを受容する部分を有することを特徴とする迅速締結安全装置。
【請求項２】
前記第１の開口および前記第２の開口は、前記工具が前記ローダ・アームに装着される際に、相互に一致していることを特徴とする請求項１に記載の迅速締結安全装置。
【発明の詳細な説明】
【０００１】
【発明の属する技術分野】
本発明は、ローダ・アーム等の端部に工具を固定するための迅速締結安全装置に関する。
【０００２】
【従来の技術】
先行技術は、特に特公表第２７８５９５２号で公表されたフランス特許出願に記載の締結構造によって構成される。
【０００３】
この文献においては、２部品から成る締結構造において、その一方の部品を他方の部品に連結した軸に嵌合させることのできるクレードルを備えた勾留構造を含み、前記部品の一方が開口を備え、この開口が他方の部品に連結されたフックの形の延長部によって通過され、前記一方の部品の下に摺動ロック・プレートが挿入されて、締結構造を成す２部品を相互に当接関係に保持することのできるように成された締結構造が記載される。
【０００４】
【発明が解決しようとする課題】
前記ロック・プレートが、装着位置に保持されると、この位置において、前記開口を通してのフックの形の延長部の通過を妨げない。この延長部の通過に際して、この延長部がロック・プレートを解除し、ロック・プレートはバネの伸張作用のもとにフックの下方に挿入されて締結構造の２部品を相互に固定する。フックとロック・プレートはそれぞれ締結構造の２部品を相互に当接させるために相互に協働する斜面を備える。
【０００５】
なんらかの理由で、例えば泥の存在の故にロックプレートがフックの対応部分の下に完全に延長されなければ、前記のような協働作用が不完全で、衝撃と振動のもとに、離脱のリスクとこれに伴なうすべての問題の生じるおそれがある。
【０００６】
本発明はこのような問題点を解決するため、前記フックを含む部品の回転を防止するためロック・プレートと協働することのできる手段を備える迅速締結安全装置を提供することを目的とする。
【０００７】
【課題を解決するための手段】
上記目的を達成するため、本発明は、２つの部品を含み、一方の部品が他方の部品に連結した軸に嵌合するクレードルを備え、一方の部品が開口を備え、この開口を他方の部品に連結されたフックの延長部が通過し、一方の部品の下にロック・プレートが伸張されるバネ作用で挿入され、バネの伸張は、延長部が開口を通過することによって生じる迅速締結安全装置において、フックは、フックが開口を通過した後にフックを含む部品の逆方向移動を防止する手段を備えていることを特徴とする迅速締結安全装置を提供する。
【０００８】
【発明の実施の形態】
以下、図面を参照して本発明の実施の形態について説明する。
図１について述べれば、公表番号第２７８５９５２号で公表されたフランス特許出願に記載の型のローダが図示されている。このローダは２つ部分１と２を含み、これらの各部分がそれぞれほぼＵ字金具の形状を有する。これら部品の一方は軸３を備え、この軸が他方の部品のクレードル４によって把持される。
【０００９】
部品２はその中央部２ａにフック６を成す延長部５を有する。この延長部５は部品１の中央部１ａに備えられた開口７を貫通することができる。ロック・プレート８が部品１上において摺動することができ、このロック・プレートは前記の延長部５を通す開口９を有する。
【００１０】
図１において、ロック・プレート８は、装着状態に図示され、開口７と９は相互に実質的に一致している。ロック・プレート８はこの位置に、例えば枢転ロック・フィンガー１０によって保持されている。軸３の軸線回りの回転に際して、延長部５は通常の戻しバネの作用で矢印Ｆ１方向に移動してロックフィンガー１０とロックプレート８とを押し戻す。
【００１１】
この移動に対抗するもの、例えば泥が存在しなければ、ロックプレート８の斜縁部８ａがフック部６ａの下に挿入され、これらの相互に接触した斜縁部の協働作用でローダの２部品を相互に固着させる。
【００１２】
もしこれらの斜面が協働する前に多少とも泥によって湿らされていれば、ロックプレート８は、その場合に強く緊張されたバネの作用で矢印Ｆ１の方向に移動しようとするが、フックの下に不完全にしか挿入されず、実際にロックが実施されなかったという印象を与える。これは図２に図示の型の事故状態である。図２に図示のように、斜縁部８ａと６ａは相互に当接させられていない。このような状態では、衝撃と振動作用がローダアームに連結された工具の離脱と落下を生じる生じる可能性がある。
【００１３】
本発明は、このような問題点を解決するため、フックが開口７，９を通過した後にこのフックを含む部品の枢転を防止する安全装置を提供する。
【００１４】
本発明の１つの実施態様によれば、延長部５はその上部に少なくとも１つの側方フィンガー１１を備え、開口７と９は前記フィンガーを通すための切欠１２と１３とを有する。フックプレート８が装着位置にある時、切欠１２と１３が相互に一致する（図３および図４）。
【００１５】
図４に示す位置から図６に示す位置まで移動するための運動の終端において、矢印Ｆ１方向に移動するロックプレート８の面の上方にあるロック・フィンガー１０と側方フィンガー１１とを延長部５が押し戻す。
【００１６】
図６には、図２に示されたのと同一型の事故状態が示されている。すなわち、泥の故に面６ａと８ａとの接触がきわめて不完全であって、例えばローダ・プレート８がフックの下方に完全に入ることが妨げられている。
【００１７】
この場合、これら２つの面の間の接触が破れても、ローダの部品２が少し枢転して側方フィンガー１１がローダプレート８に当接するにいたり、このようにして前記ローダ部品２に連結した工具の離脱と墜落を防止する。
【図面の簡単な説明】
【図１】  公知の型の迅速締結安全装置を示す概略側面図。
【図２】  事故が発生した時のロック・プレートの位置を示す図１の拡大図。
【図３】  本発明による締結構造を示す図１と類似の図。
【図４】  図３の平面図。
【図５】  ロック位置にある締結構造を示す図４と類似の図。
【図６】  図５の立面図。
【符号の説明】
１  部品
２  部品
３  一方の部品の軸
４  他方の部品のクレードル
６  フック
７  開口
８  ロック・プレート
９  開口
１０  ロック
１１  側面フィンガー
１２  切欠
１３  切欠
１４  バネ
【図１】
0004190881.tif 000002
【図２】
0004190881.tif 000003
【図３】
0004190881.tif 000004
【図４】
0004190881.tif 000005
【図５】
0004190881.tif 000006
【図６】
0004190881.tif 000007